(57)【特許請求の範囲】
【請求項１】
第１ケース体と第２ケース体とで構成され且つ内部に基板を格納可能な基板ケースと、該基板ケース内に前記基板を格納した状態で前記第１ケース体と前記第２ケース体とを封止する封止手段とを備え、該封止手段は、前記第１ケース体側に設けられたピン嵌合部と、前記第２ケース体側に設けられたピン保持部と、該ピン保持部内に収容状態に装着され且つ前記ピン嵌合部と反対側から押圧したときに前記ピン保持部と前記ピン嵌合部とを離脱不能に結合する封止ピンとを備えた遊技機において、前記ピン保持部はその前記ピン嵌合部と対向する側に設けられ且つ該ピン保持部内に前記封止ピンを装着するためのピン装着開口部と、該ピン装着開口部と反対側に前記封止ピンが離脱しないように設けられた前記封止ピン用の操作開口部と、係合部とを備え、前記封止ピンは前記ピン保持部の前記係合部と係脱自在に係合して前記収容状態を維持する収容位置保持部を備えたことを特徴とする遊技機。
【発明の詳細な説明】
【技術分野】
【０００１】
本発明は、パチンコ機、アレンジボール機、雀球遊技機、回胴式遊技機等の遊技機に関するものである。
【背景技術】
【０００２】
パチンコ機等の弾球遊技機では、ＲＯＭ、その他の電子部品が装着された制御基板を基板ケース内に格納し、この基板ケースに設けられた複数個の封止手段の内の例えば１個を用いて基板ケースを封止しておき、監督官庁等の検査機関による検査の際には、その封止手段を損壊して基板ケースを開封した後、検査後に他の１個の封止手段で基板ケースを再度封止し、検査履歴を基板ケースの所要部位に記録するようにしている。これにより、検査機関による検査の有無、検査回数等が容易に判るため、制御基板のＲＯＭ等の電子部品を交換する等の不正行為を目的とした開封の有無も容易に判断することが可能である。
【０００３】
従来の弾球遊技機における封止手段は、基板ケースを構成する２つの基板ケース体のうち、第１ケース体側にピン嵌合部を、第２ケース体側に封止部とピン保持部とを一体に設けた封止板をそれぞれ備え、両基板ケース体を閉じた状態で互いに対向する封止部とピン嵌合部とをピン保持部内に装着した封止ピンで離脱不能に結合するように構成されている。
【０００４】
ピン保持部には、ピン嵌合部に対向する側とは反対側に基板ケース外側に向けて封止ピンの装着開口部が設けられており、この装着開口部を介してピン保持部内に封止ピンを装着した状態で、この装着開口部を第２ケース体で塞ぐように、封止板を第２ケース体の内面側に固着して封止ピンをピン保持部内に封入している。そして、第２ケース体に設けられた操作孔から封止ピンをピン嵌合部側に押圧操作して基板ケースを封止するようになっている。
【発明の概要】
【発明が解決しようとする課題】
【０００５】
従来の封止手段付きの基板ケースでは、封止ピンを装着するための装着開口部を、ピン保持部のピン嵌合部に対向する側とは反対側に基板ケースの外側に向けて設けているため、封止ピンをピン保持部内に装着した後で封止ピンが脱落しないように装着開口部を塞ぐ必要がある。そのため、封止板を別部品として形成した上で第２ケース体の内面側に固着する必要があり、部品点数や組立工程が増加してコスト高となる問題があった。
【０００６】
本発明は、このような従来の問題点に鑑み、封止機能の信頼性を維持しつつ低コスト化が可能な封止手段付き基板ケースを備えた遊技機を提供することを目的とする。
【課題を解決するための手段】
【０００７】
本発明は、第１ケース体と第２ケース体とで構成され且つ内部に基板を格納可能な基板ケースと、該基板ケース内に前記基板を格納した状態で前記第１ケース体と前記第２ケース体とを封止する封止手段とを備え、該封止手段は、前記第１ケース体側に設けられたピン嵌合部と、前記第２ケース体側に設けられたピン保持部と、該ピン保持部内に収容状態に装着され且つ前記ピン嵌合部と反対側から押圧したときに前記ピン保持部と前記ピン嵌合部とを離脱不能に結合する封止ピンとを備えた遊技機において、前記ピン保持部はその前記ピン嵌合部と対向する側に設けられ且つ該ピン保持部内に前記封止ピンを装着するためのピン装着開口部と、該ピン装着開口部と反対側に前記封止ピンが離脱しないように設けられた前記封止ピン用の操作開口部と、係合部とを備え、前記封止ピンは前記ピン保持部の前記係合部と係脱自在に係合して前記収容状態を維持する収容位置保持部を備えたものである。
【発明の効果】
【０００８】
本発明によれば、封止ピンの脱落を防止するために、従来のように別途封止板を設けてピン装着開口部を塞ぐ必要がなく、ピン保持部を第２ケース体と一体に成形できるため、封止機能の信頼性を維持しつつ低コスト化が可能となる。
【図面の簡単な説明】
【０００９】
【図１】本発明の第１の実施形態を示すパチンコ機の正面図である。
【図２】本発明の第１の実施形態を示すパチンコ機の背面図である。
【図３】本発明の第１の実施形態を示すパチンコ機の主基板ケース近傍の拡大背面図である。
【図４】本発明の第１の実施形態を示す第１ケース体及び第２ケース体の正面図である。
【図５】本発明の第１の実施形態を示す第１ケース体及び第２ケース体の縦断面図である。
【図６】本発明の第１の実施形態を示す主基板ケースの縦断面図である。
【図７】本発明の第１の実施形態を示す主基板ケースの横断面図である。
【図８】本発明の第１の実施形態を示す封止ユニットの一部切り欠き分解斜視図である。
【図９】本発明の第１の実施形態を示す封止ユニットの縦断面図である。
【図１０】本発明の第１の実施形態を示す封止ユニットの横断面図である。
【図１１】本発明の第１の実施形態を示す封止ピンのピン保持部への装着動作の説明図である。
【図１２】本発明の第２の実施形態を示すパチンコ機の背面図である。
【発明を実施するための形態】
【００１０】
以下、本発明の実施形態を図面に基づいて説明する。図１〜図１１は本発明をパチンコ機として具現化した第１の実施形態を例示する。図１及び図２において、１は遊技機本体で、外枠２と、この外枠２に開閉自在に枢着された前枠３とを有する。前枠３には、その窓孔に対応して遊技盤４が裏側から着脱自在に装着され、また遊技盤４の前側にガラス扉５と前面板６とが開閉自在に配置されている。
【００１１】
前面板６には、発射用の遊技球を貯留する上皿７が装着されている。また、前枠３の下部には、余剰球を貯留する下皿８と、発射手段９の発射ハンドル１０とが設けられている。発射手段９は上皿７から供給される遊技球を遊技盤４の遊技領域１１へと発射するためのものである。
【００１２】
遊技盤４には、ガイドレール１２が略環状に装着されると共に、そのガイドレール１２の内側の遊技領域１１に特別図柄表示手段１３、普通図柄表示手段１４、特別図柄始動手段１５、普通図柄始動手段１６、可変入賞手段１７等の各種遊技部品が配置されている。
【００１３】
普通図柄表示手段１４は、１個又は複数個、例えば１個の普通図柄を表示可能な例えば７セグメント等の表示手段により構成され、普通図柄始動手段１６が遊技球を検出することを条件に、普通図柄が乱数制御により所定時間変動して停止するようになっている。
【００１４】
特別図柄表示手段１３は、１個又は複数個、例えば左右方向に３個の特別図柄を表示可能な例えば液晶表示手段により構成され、特別図柄始動手段１５が遊技球を検出することを条件に、各特別図柄が乱数制御により所定時間変動して停止するようになっている。
【００１５】
普通図柄始動手段１６は、例えば通過ゲートにより構成され、遊技球が通過するときに、その遊技球を検出するようになっている。なお、普通図柄始動手段１６は、遊技球が入賞する入賞手段によって構成してもよい。
【００１６】
特別図柄始動手段１５は、遊技者に有利な開状態と不利な閉状態とに変換可能な電動チューリップ等の開閉入賞手段により構成されており、普通図柄表示手段１４の変動後の停止図柄が予め定められた特定の当たり図柄を表示したことを条件に発生する特定遊技状態（所定遊技状態の一例）のときに所定時間開放するようになっている。
【００１７】
可変入賞手段１７は、いわゆるアタッカーを構成するもので、遊技者に有利な開状態と不利な閉状態とに変換可能な開閉式入賞手段により構成されており、特別図柄表示手段１３の変動後の停止図柄が予め定められた特定の大当たり図柄を表示したことを条件に発生
する特別遊技状態（所定遊技状態の一例）のときに開放するようになっている。
【００１８】
前枠３の裏側には、図２に示すように、遊技盤４を裏側から押さえる裏機構板１８が開閉自在に装着されている。裏機構板１８には、遊技盤４の裏側の裏カバー１９が嵌合する開口部２０が形成され、その上側に遊技球タンク２１、タンクレール２２が、左右方向の一側に払い出し手段２３が、下側に通路ユニット２４が夫々設けられている。
【００１９】
遊技球タンク２１は、遊技球補給系から補給された遊技球を貯留して、タンクレール２２を経て払い出し手段２３側へと供給するためのものである。払い出し手段２３は、賞球の払い出し指令等があったときに、遊技球タンク２１からタンクレール２２を経て供給される遊技球（遊技媒体）を払い出すためのもので、裏機構板１８の裏側に着脱自在に装着されている。通路ユニット２４は、払い出し手段２３により払い出された遊技球を上皿７へと案内し、また上皿７の遊技球が満杯状態のときに、余剰球を下皿８へと案内するようになっている。
【００２０】
裏カバー１９は、遊技盤４に装着された特別図柄表示手段１３等の遊技部品を裏側から覆うためのもので、遊技盤４の裏側に着脱自在に固定されている。裏カバー１９には、主に遊技盤側の遊技動作を制御する主制御基板２５を格納する主基板ケース２６と、遊技盤４や前枠３の前側等に設けられたランプ群の発光制御を行うランプ制御基板２７を格納するランプ基板ケース２８と、スピーカからの効果音等の出力を制御する音声制御基板２９を格納する音声基板ケース３０とが着脱自在に装着されている。
【００２１】
主制御基板２５上には、普通図柄表示手段１４、特別図柄表示手段１３の停止図柄を決定するための乱数抽選を行う抽選手段、その抽選手段による抽選結果に基づいて特別図柄始動手段１５や可変入賞手段１７の駆動制御を行うと共に払い出し制御手段に対して賞球の払い出しを要求する入賞処理手段、ランプ制御基板２７等の他の制御基板に対して制御コマンドを送信するコマンド送信手段等を有する主制御手段が設けられている。
【００２２】
通路ユニット２４の裏側には、左右方向にケース取り付け板３１が装着され、このケース取り付け板３１の裏側に、払い出し制御基板３２を格納する払い出し基板ケース３３と、電源基板３４を格納する電源基板ケース３５とが左右に配置されている。払い出し制御基板３２上には、可変入賞手段１７等への遊技球の入賞に基づいて払い出し手段２３を制御する払い出し手段が設けられている。
【００２３】
主基板ケース２６は、図３〜図６等に示すように全体として略矩形状の偏平箱状であって、互いに係脱自在の第１ケース体４１と第２ケース体４２とを備えると共に、その背面側の一辺に沿って封止ユニット４３，４４が設けられ、これら第１ケース体４１、第２ケース体４２、封止ユニット４３，４４を含む全体が透明な合成樹脂材料により成形されている。そして、主基板ケース２６の内部の基板格納領域４５に主制御基板２５が格納されている。
【００２４】
主制御基板２５は矩形状であって、図６に示すように、中央部分にＣＰＵ，ＲＯＭ，ＲＡＭ等の電気部品４６が装着され、周縁部分にその端縁に沿ってコネクタ４７が装着され、また複数の位置決め孔４８が形成されている。
【００２５】
第２ケース体４２は、図４及び図５に示すように、主制御基板２５の電気部品装着面、即ち表面側に対応する表板部５１と、主制御基板２５の三辺、例えば左右及び上側を取り囲む周壁部５２，５３，５４とを一体に備え、主制御基板２５の裏面側に対応する面、及び残りの一辺側の面はその略全面が開放されて開口５５，５６を形成しており、その開口５５を裏カバー１９で塞ぐように裏カバー１９の裏面側に着脱自在に装着されている。
【００２６】
表板部５１には、その内部の主制御基板２５との間に電気部品４６の収容空間を確保できるように主制御基板２５の表面側に向けて膨出する膨出部５７が形成されると共に、周壁部５２，５３，５４に沿って膨出部５７よりも低い段部５８が形成されている。
【００２７】
段部５８には、主制御基板２５側のコネクタ４７が内側から嵌脱自在に嵌合するコネクタ嵌合孔５９が１又は複数設けられており、またそのコネクタ嵌合孔５９を避けて、膨出部５７と同じ方向に突出する突出部６０が複数形成されている。これら突出部６０のうちの複数、例えば２つには、その内面側に、主制御基板２５側の位置決め孔４８に嵌合する位置決め突起６１が主制御基板２５側に向けて突設されている。位置決め突起６１は、その先端部が段部５８の内面側よりも主制御基板２５側に突出している。
【００２８】
左右の周壁部５２，５３には、その開口５５側縁部に、裏カバー１９に沿って外側に張り出す係合板部６２と、逆に内側に張り出すレール板部６３とが一体に設けられている。係合板部６２は、この第２ケース体４２を裏カバー１９側に着脱自在に装着するためのもので、裏カバー１９の裏面側に上下方向に設けられた左右一対の係合レール６４に上側から係合するようになっている。
【００２９】
また、レール板部６３は、この第２ケース体４２に第１ケース体４１を装着する際に第１ケース体４１を主制御基板２５の板面方向に案内するためのもので、その内面側には、周壁部５２，５３から一定距離離れた位置に案内リブ６５が立設されている。
【００３０】
上周壁部５４の外面側には、前後方向中央部よりも若干段部５８寄りの位置に、段部５８と平行な突設リブ６６が一体に設けられており、その突設リブ６６の裏カバー１９側には、１又は複数、例えば２つの嵌合孔６７が左右に設けられている。
【００３１】
第１ケース体４１は、図４及び図５に示すように、裏板部７１と底板部７２とを一体に備えた断面略Ｌ形に形成され、第２ケース体４２に対して開口５６側から主制御基板２５の板面に沿ってスライドさせつつ装着され、図６等に示すように、裏板部７１が開口５５に、底板部７２が開口５６に夫々嵌合するようになっている
裏板部７１は、第２ケース体４２の開口５５に嵌合して主制御基板２５の裏面側を覆うもので、開口５５の内側に嵌合する矩形板状に形成され、その四辺には、図６及び図７に示すように、裏カバー１９側に突設する周板部７３，７４，７５，７６が一体に設けられている。
【００３２】
また、上側の周板部７５と平行に横リブ７７が設けられ、更にそれら上周板部７５と横リブ７７との間には３つの縦リブ７８，７９，８０が所定間隔で設けられ、上周板部７５、横リブ７７、左右の縦リブ７８，８０で囲まれた矩形領域には主制御基板２５側に突出する突出部８１が形成されている。
【００３３】
上周板部７５及び横リブ７７の両端部分には、左右の周板部７３，７４との間に、第２ケース体４２側の案内リブ６５に対応する切欠部７５ａ，７７ａが設けられている。また、突出部８１の外面側、即ち第２ケース体４２の上周壁部５４との対向面側には、上周壁部５４側の嵌合孔６７に対応する嵌合突部８２が一体に設けられている。
【００３４】
また、裏板部７１の左右両縁部には、主制御基板２５の左右の縁部近傍を裏側から支持する支持リブ８３，８４が、周板部７３，７４の反対側に一体に立設されている。
【００３５】
底板部７２は、第２ケース体４２の開口５６に嵌合して主制御基板２５を下側から覆うもので、開口５６の形状に対応して略凸形に形成されており、その周縁部には、裏板部７１との連結部分及び封止ユニット４３，４４の設置部分を除く部分に、第２ケース体４２の開口５６の外側に嵌合する嵌合リブ８５が一体に設けられている。
【００３６】
第１ケース体４１と第２ケース体４２とを係合する際には、図５に示すように、第２ケース体４２内に開口５６側から主制御基板２５を挿入し、位置決め孔４８を位置決め突起６１に、コネクタ４７を各コネクタ嵌合孔５９に夫々嵌合させつつ、主制御基板２５の表面側周縁部を段部５８の内面側に当接させる。そしてその状態で、第１ケース体４１の裏板部７１を第２ケース体４２の開口５６側から主制御基板２５の板面に平行に挿入していく。
【００３７】
このとき、第１ケース体４１側の左右の周板部７３，７４が第２ケース体４２側の左右の周壁部５２，５３と案内リブ６５，６５とに挟まれて案内され、レール板部６３上を摺動する。なおその際、左右の案内リブ６５は上周板部７５の切欠部７５ａ、及び横リブ７７の切欠部７７ａを通過する。そして、第１ケース体４１側の突出部８１が第２ケース体４２側の嵌合孔６７に嵌合したとき、第１ケース体４１側の裏板部７１、底板部７２が第２ケース体４２側の開口５５、５６を夫々閉鎖する。このとき、内部の主制御基板２５は、その周縁部分を第２ケース体４２側の段部５８と第１ケース体４１側の支持リブ８３，８４とで表裏から挟まれた状態で支持される（図６参照）。
【００３８】
封止ユニット４３，４４は、図３に示すように、第２ケース体４２側の膨出部５７の上面板９０と第１ケース体４１側の底板部７２との境界線に沿って、主基板ケース２６の内側の基板格納領域４５側に左右に設けられており、共に４個の封止手段９１を備えている。各４個の封止手段９１は、封止ユニット４３側では上面板９０の板面に沿って縦横に２個ずつ夫々互いに隣接して配置され、封止ユニット４４側では横一列状に互いに隣接して配置されている。
【００３９】
このように、封止ユニット４３側で複数の封止手段９１を縦横に夫々複数列で配置しているため、封止ユニット４３側の横方向の配置幅を小さくでき、主基板ケース２６の１辺に沿って２つの封止ユニット４３，４４を配置することが可能となっている。なお、各封止ユニット４３，４４が各４個の封止手段９１を備えていることにより、最大４回までの開封、封止が可能となる。
【００４０】
各封止手段９１は、第２ケース体４２側のピン保持部９２と、このピン保持部９２内に装着される封止ピン９３と、第１ケース体４１側のピン嵌合部９４とを備えている。ピン保持部９２は、第２ケース体４２側の膨出部５７の開口５６側縁部に設けられた凹入部９５，９６内に配置され、ピン嵌合部９４は、第１ケース体４１側の底板部７２の内面側に突設された嵌合支持部９７，９８上に設けられている。
【００４１】
ピン保持部９２は、図９等に示すように、側壁９２ａ，９２ｂ，９２ｃ，９２ｄよりなる角形の枠状に形成され、その軸方向下端部側（基板格納領域４５の内部側）には封止ピン９３が通過可能なピン装着開口部１０１が、軸方向上端部側（基板格納領域４５の外部側）には封止ピン９３が通過不可能な操作開口部１０２が夫々形成されている。
【００４２】
左右の側壁９２ａ，９２ｂには、ピン装着開口部１０１側端部から操作開口部１０２側に向けて夫々２本のスリット１０３が設けられ、それら２本のスリット１０３間に、ピン装着開口部１０１側端部を側壁９２ａ，９２ｂの面外方向に弾性変形可能な係合部１０４が形成されている。それら一対の係合部１０４には、ピン装着開口部１０１側端部近傍に、互いに対向する係合爪１０５が一体に設けられている。係合爪１０５は、その上面側に上面板９０と略平行な係止面１０５ａを、その下面側に内側上向きに傾斜する案内面１０５ｂを夫々備えている。
【００４３】
ピン保持部９２の上端側には、側壁９２ｃ，９２ｄの左右中央部分から操作開口部１０２側に突出する一対の案内支持部１０６が一体に設けられており、それらの対向部分には、封止ピン９３側の被操作部をピン保持部９２の軸方向に摺動自在に保持する略円形の案内孔１０７が形成されている。更に、ピン保持部９２の上端側には、側壁９２ｃ，９２ｄから上向きに突出する一対の保護リブ１０８が一体に設けられている。
【００４４】
ピン保持部９２は、その側壁９２ａ，９２ｂ，９２ｃ，９２ｄの上端側を上面板９０と略一致させた状態で、凹入部９５，９６内に各４個ずつ配置されている。凹入部９５，９６は、それぞれ、ピン保持部９２を所定の間隔で縦横２個ずつ、或いは横一列状に４個配置可能な矩形状に形成されており、その左右及び上側の周縁部には夫々主制御基板２５側に突設する囲い板９５ａ，９５ｂ，９５ｃ、９６ａ，９６ｂ，９６ｃが一体に設けられている。この囲い板９５ａ，９５ｂ，９５ｃ、９６ａ，９６ｂ，９６ｃは、その内側に配置されるピン保持部９２の下端部よりも若干下方まで延設されている。
【００４５】
囲い板９５ｃ，９６ｃの下縁部には、対向するピン保持部９２に対応する２又は４個の切欠部１１１と、ピン保持部９２側に突出する突出部１１２とが左右方向に交互に設けられている。切欠部１１１は、その上端位置がピン保持部９２の下端側位置と略一致するように、また突出部１１２は、その上面側がピン保持部９２の下端側位置よりも若干下側にくるように夫々設けられている。
【００４６】
更に、上面板９０には、凹入部９５，９６を三方から取り囲む門形状の保護リブ１１３，１１４が、板面に垂直に立設されている。この保護リブ１１３，１１４は、ピン保持部９２側の保護リブ１０８と略同じ高さに形成されている。
【００４７】
凹入部９５，９６内に配置された各ピン保持部９２は、その保護リブ１０８とこれに対向する保護リブ１１３，１１４との間、或いは互いに対向する保護リブ１０８間を一体に接続する切断部１１５により、直接的に、或いは他のピン保持部９２を介して間接的に、第２ケース体４２側に固定されている。
【００４８】
即ち、封止ユニット４４側では、４個全てのピン保持部９２が凹入部９６内に横一列状に配置され、各ピン保持部９２が夫々切断部１１５により直接的に第２ケース体４２側に連結されている。一方、封止ユニット４３側では、４個のピン保持部９２が凹入部９５内に縦横２個ずつ配置され、囲い板９５ｃ側の２個のピン保持部９２については、夫々切断部１１５により直接的に第２ケース体４２側に連結され、開口５６側の２個のピン保持部９２については、囲い板９５ｃ側のピン保持部９２に対して切断部１１５により連結され、間接的に第２ケース体４２側に連結されている。
【００４９】
また、開口５６側の２個のピン保持部９２については、更にそれぞれ左側或いは右側に隣接する囲い板９５ａ或いは９５ｂに対して補助切断部１１６により一体的に連結されている。補助切断部１１６は、開口５６側のピン保持部９２の左右方向への振れを抑えるために補助的に支持するためのものであり、切断部１１５よりも細く形成され、切断部１１５側を切断した後でピン保持部９２を手で捩るなどして容易に切断できるようになっている。なお、この補助切断部１１６を設けることにより、第２ケース体４２を成形する際の樹脂の流れが良くなるというメリットもある。
【００５０】
左右に隣接する各ピン保持部９２の間隔、及び左右両側のピン保持部９２とそれに隣接する囲い板９５ａ，９５ｂ，９６ａ，９６ｂとの間隔は、係合部１０４を外側に変形させて係合爪１０５をピン装着開口部１０１から退避させることができる程度に狭く形成されており、また、切断部１１５によって連結されている側のピン保持部９２間、或いはピン保持部９２と囲い板９５ｃとの間隔は、ニッパー等の切断具で切断部１１５を切断できる程度の広さに形成されている。
【００５１】
切断部１１５は、ピン保持部９２の主制御基板２５の面外方向の支持強度を確保しつつ、ニッパー等で容易に切断可能とするために、主制御基板２５に垂直な方向の板状に形成されている。また、その上端部側は、保護リブ１１３，１１４の上端部側と略同じ高さに形成されている。
【００５２】
封止ピン９３は、ピン保持部９２側からピン嵌合部９４側に貫通して、両者を封止状態で結合するためのもので、ピン装着開口部１０１側からピン保持部９２内に装着されている。封止ピン９３は、断面矩形状の軸部１２１と、軸部１２１の上端側の係合鍔部（脱落防止部）１２２と、軸部１２１の下端側の台形状の嵌合頭部１２３と、係合鍔部１２２から上側に突出する円柱状の被操作部１２４と、軸部１２１の左右側面に突出する突起部（収容位置保持部）１２５とを備え、適当な弾性を有する合成樹脂材料により一体に成形されている。
【００５３】
軸部１２１は、左右方向に偏平な断面矩形状に形成されており、その左右幅はピン保持部９２側の一対の係合爪１０５の内幅と略同じか若干小さく形成されている。
【００５４】
係合鍔部１２２は、封止ピン９３をピン保持部９２から脱落しないように保持するためのもので、封止ピン９３の長手方向に略垂直に突出し且つピン保持部９２の内部に摺動自在に嵌合する角形状に形成されている。この係合鍔部１２２は、封止ピン９３をピン保持部９２内に装着する際には、係止爪１０５の案内面１０５ｂに摺接して係止部１０４を外向きに押し広げつつピン装着開口部１０１を通過すると共に、封止ピン９３がピン保持部９２内に装着された状態では、係止爪１０５の係止面１０５ａに係合してピン装着開口部１０１の通過を阻止するようになっている。
【００５５】
嵌合頭部１２３は、例えば図９及び図１０に示すように、係合鍔部１２２が係止爪１０５の係止面１０５ａに当接した状態で、ピン保持部９２のピン装着開口部１０１から下側に突出して第１ケース体４１側のピン嵌合部９４に上側から嵌合し、ピン嵌合部９４の下側に離脱不能に係合するようになっている。また、この嵌合頭部１２３は、係合鍔部１２２をピン保持部９２の操作開口部１０２側に当接させた状態では、ピン保持部９２内に完全に収容されるようになっている。以下の説明では、係合鍔部１２２が係止爪１０５の係止面１０５ａに当接して嵌合頭部１２３がピン保持部９２のピン装着開口部１０１から下側に突出した状態を「突出状態」、嵌合頭部１２３をピン保持部９２内に収容した状態を「収容状態」という。
【００５６】
突起部１２５は、嵌合頭部１２３をピン保持部９２内に収容した収容状態で封止ピン９３を保持するためのもので、封止ピン９３の長手方向に略垂直に突出するように軸部１２１の左右側面に一体に設けられ、図１０等に示すように、封止ピン９３が収容状態となったときに係合爪１０５の係止面１０５ａ側に係脱自在に係合し、封止ピン９３をその状態で保持するようになっている。なお、突起部１２５は、係合爪１０５の上側に極弱く係合するように、封止ピン９３の長手方向に略垂直な方向の突出量が係合鍔部１２２に比べて小さくなるように形成されており、封止ピン９３を下向きに軽く押し下げるだけで、係合部１０４の外向きの弾性変形を殆ど伴うことなくその係合を解除することができるようになっている。
【００５７】
被操作部１２４は、封止ピン９３を収容状態から突出状態に移行させる際にピン保持部９２の外側から押圧操作するためのものであって、係合鍔部１２２から上側に突出して設けられ、案内支持部１０６の案内孔１０７に下側から摺動自在に嵌合している。被操作部１２４は、図９等に示すように、封止ピン９３が突出状態にあるときでもその上端部が案内孔１０７に嵌合した状態が維持され、且つ封止ピン９３が収容状態にあるときでもその上端部が保護リブ１０８の上側に突出しない長さに形成されている。
【００５８】
この被操作部１２４が案内孔１０７に案内されることにより、封止ピン９３は一定の姿勢を保った状態でピン保持部９２内を上下に摺動できる。また、封止ピン９３が収容状態にあって被操作部１２４がピン保持部９２の上側に突出した状態にあっても、その突出した被操作部１２４の周りが同程度の高さに形成された保護リブ１１３，１１４、切断部１１５により保護されているため、誤って封止ピン９３を押し込んでしまうような誤操作を防止できる。
【００５９】
封止ピン９３をピン保持部９２内に装着する際には、図１１（Ａ），（Ｂ）に示すように、ピン保持部９２のピン装着開口部１０１側から、係合鍔部１２２の両端部を係止爪１０５の案内面１０５ｂに摺接させて係止部１０４を外向きに押し広げつつ押し込めばよい。係合鍔部１２２は、係止爪１０５を通過した後は係止爪１０５の係止面１０５ａに係合するため、強制的に係止部１０４を外向きに変形させない限りピン保持部９２から脱落することはない。また、封止ピン９３を操作開口部１０２側に一杯に押し込めば、突起部１２５が係止爪１０５の上側に係合して収容状態（図１１（Ｃ））となる。
【００６０】
嵌合支持部９７，９８は、図４，図５，図８等に示すように、夫々第２ケース体４２側の凹入部９５，９６に対応する板状に形成され、主制御基板２５との間に十分な間隙をおいた位置で、第１ケース体４１の底板部７２の上部側から内側へと主制御基板２５と略平行に一体に突出しており、その先端側縁部には凹入部９５，９６側の切欠部１１１に対応する突出部１３１が一体に設けられている。
【００６１】
嵌合支持部９７，９８には、第１ケース体４１側のピン保持部９２に対応してそれぞれ４つのピン嵌合部９４が設けられている。各ピン嵌合部９４は、封止ピン９３用の挿通スリット１３２と、この挿通スリット１３２の両側の一対の弾性係合部１３３とを備えており、この一対の弾性係合部１３３には、封止ピン９３側の嵌合頭部１２３を挿通スリット１３２側に案内する案内傾斜面１３４が設けられている。なお、各挿通スリット１３２の両側には逃げ用スリット１３５が形成されており、その隣り合うスリット１３２，１３５間が弾性係合部１３３となっている。
【００６２】
嵌合支持部９７，９８の下面側には、各ピン嵌合部９４の両側に位置する複数個の補強リブ１３６が、底板部７２の内面側にわたって一体に設けられている。また、嵌合支持部９７，９８の上面側には、第２ケース体４２側の各ピン保持部９２の左右の隙間に嵌合して封止する封止リブ（封止手段）１３７が、各ピン嵌合部９４の両側に立設されている。
【００６３】
主基板ケース２６を閉じる際には、まずピン保持部９２内の封止ピン９３を全て収容状態とし、上述した手順で、主制御基板２５を装着した第２ケース体４２に対して第１ケース体４１をスライドさせつつ装着する（図５→図６）。これにより、嵌合支持部９７，９８は、突出部１３１を切欠部１１１に嵌合させつつ突出部１１２の上側に嵌合して凹入部９５，９６の下側を閉鎖した状態となる。
【００６４】
その際、各ピン保持部９２内の封止ピン９３は、突起部１２５が係合爪１０５に係合して収容状態が保持されているため、封止ピン９３側の嵌合頭部１２３がピン保持部９２の下側に突出して嵌合支持部９７，９８と干渉するようなことがなく、第１ケース体４１の第２ケース体４２への装着作業を極めて容易に行うことができる。
【００６５】
第２ケース体４２が第１ケース体４１に装着されて嵌合支持部９７，９８が凹入部９５，９６の下側に嵌合すると、各ピン嵌合部９４は各ピン保持部９２の下側に配置され、ピン装着部９２側のピン装着開口部１０１を塞いだ状態となる。
【００６６】
このように、ピン保持部９２のピン装着開口部１０１は、ピン嵌合部９４と対向する側に設けられており、第２ケース体４２と第１ケース体４１とを結合した状態ではピン嵌合部９４によって塞がれた状態となるため、封止ピン９３の脱落を防止するためにピン装着開口部１０１を例えば第２ケース体の上面板９０等で塞ぐ必要がなく、ピン保持部９２を第２ケース体４２と一体成形することが可能となっている。
【００６７】
またこのとき、封止リブ１３７が各ピン保持部９２の左右両側の隙間を封止するため、ピン保持部９２側の係合部１０４の外向きの変形が規制され、封止ピン９３の係合鍔部１２２が係合部１０４を通過不能となり、ピン保持部９２内の封止ピン９３の脱落を確実に防止できる。
【００６８】
主制御基板２５を内部に格納した状態で主基板ケース２６が閉じられると、続いて、２つの封止ユニット４３，４４の各１個の封止手段９１により主基板ケース２６を封止する。封止手段９１を用いて主基板ケース２６を封止する際には、ドライバー等の工具の先端を封止ピン９３の被操作部１２４の先端に当てて下方に押圧する。すると、封止ピン９３は、突起部１２５と係合爪１０５との係合が解除されてピン装着開口部１０１側に移動し、嵌合頭部１２３が弾性係合部１３３を両側に押し広げながら挿通スリット１３２内に嵌合する。
【００６９】
そして、封止ピン９３の係合鍔部１２２が係合爪１０５の係止面１０５ａに当接すると、嵌合頭部１２３が挿通スリット１３２を通過して弾性係合部１３３の下側に係合し、封止ピン９３の係合鍔部１２２と嵌合頭部１２３とでピン保持部９２側の係合爪１０５と嵌合支持板９６，９７とを上下両側から挟み、ピン嵌合部９４で封止ピン９３を離脱不能に係止した状態となる。
【００７０】
パチンコ機をホール等に設置した後に、主制御基板２５の検査を行う場合には、ニッパー等の切断具を用いて、封止状態となっている２個の封止手段９１を支持している切断部１１５，１１６を切断する。すると、この封止手段９１のピン保持部９２が第２ケース体４２から分離されるので、第１ケース体４１が第２ケース体４２から離脱可能になり、主基板ケース２６を開放できる。
【００７１】
第１ケース体４１を第２ケース体４２から離脱する場合には、第１ケース体４１を第２ケース体４２に対して主制御基板２５の板面に平行に下向きにスライドさせればよい。このとき、切断部１１５が切断されたピン保持部９２は、封止ピン９３によってピン嵌合部９４に結合されたまま嵌合支持部９７，９８側に残される。
【００７２】
主制御基板２５の検査後に主基板ケース２６を再封止する場合には、再度第１ケース体４１を第２ケース体４２に装着し、２つの封止ユニット４３，４４を構成する残りの封止手段９１のうちの各１個の封止手段９１により主基板ケース２６を封止すればよい。なお、検査後は、第２ケース体４２側の例えば表板部５１等に貼付された記録紙にその検査履歴を記載する。
【００７３】
各封止手段９１の使用順序は、封止ユニット４４側については、各封止手段９１のピン保持部９２が個別に第２ケース体４２側に連結されているため、基本的にはどの封止手段９１から順に使用してもよく、例えば左右方向の一端側から他端側に向けて順に使用すればよい。
【００７４】
一方、封止ユニット４３側については、囲い板９５ｃ側の２つの封止手段９１は第２ケース体４２側に直接連結されているが、開口５６側の２つの封止手段９１についてはその内側に隣接する封止手段９１を介して第２ケース体４２側に間接的に連結されているため、囲い板９５ｃ側の封止手段９１よりも開口５６側の封止手段９１を先に使用する必要がある。開口５６側の封止手段９１の前に隣接する囲い板９５ｃ側の封止手段９１を使用して封止してしまうと、開封する際にその封止状態の封止手段９１と共に未だ使用していない開口５６側の封止手段９１も第２ケース体４２から切り離されてしまい、開口５６側の封止手段９１を使用することができなくなってしまう。
【００７５】
なお、各封止ユニット４３，４４毎の封止手段９１の使用順序は、例えば第２ケース体４２側に番号で表示しておくことが望ましい。
【００７６】
以上説明したように、本実施形態のパチンコ機では、ピン保持部９２は、封止ピン９３を装着するためのピン装着開口部１０１をピン嵌合部９４と対向する側に備えているため、第２ケース体４２と第１ケース体４１とを結合した状態ではピン装着開口部１０１はピン嵌合部９４によって塞がれた状態となる。従って、封止ピン９３の脱落を防止するためにピン装着開口部１０１を例えば第２ケース体の上面板９０等で塞ぐ必要がなく、ピン保持部９２を第２ケース体４２と一体成形することによる低コスト化が可能である。
【００７７】
また、封止ピン９３は、ピン保持部９２内に収容された収容状態と、ピン保持部９２からピン装着開口部１０１を介してピン嵌合部９４側に突出してピン嵌合部９４に離脱不能に嵌合可能な突出状態との間で移動可能であり、封止ピン９３に、ピン保持部９２側と係脱自在に係合して収容状態を維持する突起部１２５を設けているため、封止ピン９３がピン保持部９２から突出して例えば主基板ケース２６を閉じる際の邪魔になることがない。
【００７８】
特に、本実施形態では、第１ケース体４１を第２ケース体４２側の開口５６を介して第２ケース体４２に対して主制御基板２５の板面に略平行な方向に相対的に移動させて両者を結合するように構成されているため、封止ピン９３が突出状態にある状態では、封止ピン９３の突出部分が嵌合支持部９７，９８と干渉するために第２ケース体４２と第１ケース体４１とを結合することができない。
【００７９】
また、封止ピン９３に、突出状態でピン保持部９２側と係合してピン保持部９３からの離脱を防止する係合鍔部１２２を設け、ピン保持部９２に、突起部１２５と係合鍔部１２２とにそれぞれ係合する係合部１０４を設けているため、係合鍔部１２２と突起部１２５とにそれぞれ係合部を個別に設ける場合と比べて形状を簡略化できる。
【００８０】
更に，係合部１０４は、ピン保持部９２の内面側からその内側の封止ピン９３側に向かう係合爪１０５を備え、脱落防止部１２２と突起部１２５とは、封止ピン９３の長手方向に略垂直な突出状に形成され、係合鍔部１２２は突起部１２５よりもその突出量が大きく形成されているため、係合鍔部１２２と突起部１２５とを１つの係合爪１０５に係合させるように構成されているにも拘わらず、係合鍔部１２２と係合爪１０５との係合は強く、突起部１２５と係合爪１０５との係合は弱く、それぞれの係合状態を適切に設定できる。
【００８１】
係合部１０４をピン保持部９２の側壁９２ａ，９２ｂに設け、ピン嵌合部９４側に、ピン保持部９２の係合部１０４の外側の隙間を封止する封止リブ１３７を設けているため、係合部１０４の外向きの変形が規制され、封止ピン９３の係合鍔部１２２が係合部１０４を通過不能となり、ピン保持部９２内の封止ピン９３の脱落を確実に防止できる。
【００８２】
第１ケース体４１とピン嵌合部９４との間、又は第２ケース体４２とピン保持部９２との間を切断部１１５，１１６で直接的若しくは間接的に連結し、主基板ケース２６の開封時にはその切断部１１５，１１６を切断して第１ケース体４１と第２ケース体４２との間の封止を解除するように構成しているため、仮に切断部１１５，１１６を切断して主基板ケース２６を不正に開封しても、切断部１１５，１１６に切断跡が残りその隠蔽工作が困難であるため、検査履歴と照合すれば、不正行為の事実を容易に発見できる。
【００８３】
特に各封止手段９１は主基板ケース２６内部の基板格納領域４５側にあるため、封止手段９１を主基板ケース２６の外部に設ける場合に比較して、主基板ケース２６の基板格納領域４５から外側への張り出し部分がなく、内部空間を有効に利用して主基板ケース２６全体を小型化できると共に、開封後の封止手段９１に対する不正な隠蔽工作等が行い難くなり、不正行為を効果的に防止できる。
【００８４】
図１２は本発明の第２の実施形態を例示し、払い出し制御基板３２を格納する払い出し基板ケース３３を、第１の実施形態における主基板ケース２６と同様の構成とした例を示している。払い出し制御基板３２上には、遊技球を払い出す払い出し手段２３を制御する払い出し制御手段が設けられており、主制御基板２５と同様、不正な隠蔽工作等の対象となる可能性が高いため、これを格納する払い出し基板ケース３３を、第１の実施形態における主基板ケース２６と同様の構成としてすることは、不正行為を効果的に防止する上で望ましい。
【００８５】
なお、主基板ケース２６と払い出し基板ケース３３とを共に第１の実施形態における主基板ケース２６と同様の構成としてもよい。もちろん、ランプ基板ケース２８等のその他の基板ケースに第１の実施形態における主基板ケース２６と同様の構成を用いることも可能である。
【００８６】
上記の各実施形態には、次の発明が包含されている。その第１の発明は、第１ケース体４１と第２ケース体４２とで構成され且つ内部に基板２５，３２を格納可能な基板ケース２６，３３と、該基板ケース２６，３３内に基板２５，３２を格納した状態で前記第１ケース体４１と前記第２ケース体４２とを封止する封止手段９１とを備え、該封止手段９１は、前記第１ケース体４１側に設けられたピン嵌合部９４と、前記第２ケース体４２側に設けられたピン保持部９２と、該ピン保持部９２内に装着され且つ前記ピン保持部９２と前記ピン嵌合部９４とを離脱不能に結合可能な封止ピン９３とを備えた遊技機において、前記ピン保持部９２は、前記封止ピン９３を装着するためのピン装着開口部１０１を前記ピン嵌合部９４と対向する側に備えたものである。
【００８７】
第２の発明は、第１の発明において、前記封止ピン９３は、前記ピン保持部９２内に収容された収容状態と、前記ピン保持部９２から前記ピン装着開口部１０１を介して前記ピン嵌合部９４側に突出して前記ピン嵌合部９４に離脱不能に嵌合可能な突出状態との間で移動可能であり、前記封止ピン９３に、前記ピン保持部９２側と係脱自在に係合して前記収容状態を維持する収容位置保持部１２５を設けたものである。
【００８８】
第３の発明は、第２の発明において、前記封止ピン９３に、前記突出状態で前記ピン保持部９２側と係合して前記ピン保持部９２からの離脱を防止する脱落防止部１２２を設け、前記ピン保持部９２に、前記収容位置保持部１２５と前記脱落防止部１２２とにそれぞれ係合する係合部１０４を設けたものである。
【００８９】
第４の発明は、第３の発明において、前記係合部１０４は、前記ピン保持部９２の内面側からその内側の前記封止ピン９３側に向かう係合爪１０５を備え、前記脱落防止部１２２と前記収容位置保持部１２５とは、前記封止ピン９３の長手方向に略垂直な突出状に形成され、前記脱落防止部１２２は前記収容位置保持部１２５よりもその突出量が大きく形成されているものである。
【００９０】
第５の発明は、第３又は４の発明において、前記係合部１０４を前記ピン保持部９２の側壁９２ａ，９２ｂに設け、前記ピン嵌合部９４側に、前記ピン保持部９２の前記係合部１０４の外側の隙間を封止する封止手段１３７を設けたものである。
【００９１】
第６の発明は、第１〜５の何れかの発明において、前記第１ケース体４１と前記ピン嵌合部９４との間、又は前記第２ケース体４２と前記ピン保持部９２との間を切断部１１５，１１６で直接的若しくは間接的に連結し、前記基板ケース２６，３３の開封時にはその切断部１１５，１１６を切断して前記第１ケース体４１と前記第２ケース体４２との間の封止を解除するように構成したものである。
【００９２】
第７の発明は、第１〜６の何れかの発明において、前記第２ケース体４２は前記基板２５，３２の一端側に開口５６を備え、前記第１ケース体４１は前記開口５６に対応する底板部７２を備え、前記第１ケース体４１を前記開口５６を介して前記第２ケース体４２に対して前記基板２５の板面に略平行な方向に相対的に移動させて両者を結合するように構成したものである。
【００９３】
第８の発明は、第１〜７の何れかの発明において、前記基板ケース２６，３３の内側の基板格納領域４５側に前記封止手段９１を設けたものである。第９の発明は、第１〜８の何れかの発明において、前記基板ケース２６内に格納する基板２５上に、遊技者に有利な所定遊技状態を発生させるか否かを抽選する抽選手段を設けたものである。第１０の発明は、第１〜９の何れかの発明において、前記基板ケース３３内に格納する基板３２上に、遊技媒体を払い出す払い出し手段２３を制御する払い出し制御手段を設けたものである。
【００９４】
以上、本発明の実施形態について説明したが、本発明はこの実施形態に限定されるものではない。例えば基板ケース２６，３３は、第１ケース体４１と第２ケース体の他に第３のケース体を備え、その第３のケース体を第１ケース体４１と第２ケース体との間に介在するように構成しても良い。また基板ケース２６，３３は、その一部を透明な材料で構成すれば良く、必ずしも封止手段９１等を含む全体を透明な合成樹脂材料で構成する必要はない。
【００９５】
封止ピン９３、ピン保持部９２等は、角形に構成する他、丸形に構成することも可能である。
【００９６】
封止ユニット４３，４４は、２組に限られるものではなく、１組であってもよいし、３組以上設けてもよい。また、各封止ユニット４３，４４等における封止手段９１の個数やその配置は任意である。例えば、全ての封止ユニットで封止手段を横一列状に配置してもよいし、縦横複数列に配置してもよい。また、各封止ユニット４３，４４等を基板ケース２６，３３の異なる辺に沿って設けてもよい。
【００９７】
第１ケース体４１と第２ケース体４２との一方を本体、他方を蓋体として、本体側を裏カバー１９の裏面側に着脱自在に装着し、蓋体側を本体側の後方から装着するようにしてもよい。
【００９８】
更に、実施形態ではパチンコ機を例に挙げて説明したが、アレンジボール機、雀球遊技機等のその他の弾球遊技機、或いは回胴式遊技機等の各種遊技機で同様に実施可能であることは言うまでもない。
【符号の説明】
【００９９】
２５    主制御基板
２６    主基板ケース
３２    払い出し制御基板
３３    払い出し基板ケース
４１    第１ケース体
４２    第２ケース体
９１    封止手段
９２    ピン保持部
９３    封止ピン
９４    ピン嵌合部
１０１    ピン装着開口部
【図１】
0004837070.tif 000002
【図２】
0004837070.tif 000003
【図３】
0004837070.tif 000004
【図４】
0004837070.tif 000005
【図５】
0004837070.tif 000006
【図６】
0004837070.tif 000007
【図７】
0004837070.tif 000008
【図８】
0004837070.tif 000009
【図９】
0004837070.tif 000010
【図１０】
0004837070.tif 000011
【図１１】
0004837070.tif 000012
【図１２】
0004837070.tif 000013